(57)【特許請求の範囲】
【請求項１】
白色光を用いて３原色を表示する表示パネルと、
該表示パネルを照射する光を発光する発光装置と、
前記表示パネルにより表示される３原色のうちの少なくとも１つの色純度を調整する色純度調整手段とを備えた表示装置であって、
前記発光装置は、発光色が異なる複数種類の光源を有する第１の光源部と、白色光を発する第２の光源部とを備え、
前記色純度調整手段は、ユーザーによる指示に応じて、前記第１の光源部と前記第２の光源部との少なくとも一方の発光強度を制御することにより、前記３原色のうちの少なくとも１つの色純度を可変することを特徴とする表示装置。
【請求項２】
前記請求項１に記載の表示装置であって、
前記第１の光源部が、赤、緑及び青の３色の発光ダイオードを備えることを特徴とする表示装置。
【請求項３】
前記請求項１または２に記載の表示装置であって、
前記第２の光源部が、冷陰極管を備えることを特徴とする表示装置。
【請求項４】
前記請求項１または２に記載の表示装置であって、
前記第２の光源部が、発光ダイオードを備えることを特徴とする表示装置。
【請求項５】
白色光を用いて３原色を表示する表示パネルと、
該表示パネルを照射する光を発光する発光装置と、
前記表示パネルにより表示される３原色のうちの少なくとも１つの色純度を調整する色純度調整手段とを備えた表示装置であって、
前記発光装置は、少なくとも発光色が赤色である光源を有する第１の光源部と、白色光を発する第２の光源部とを備え、
前記色純度調整手段は、ユーザーによる指示に応じて、前記第１の光源部と前記第２の光源部との少なくとも一方の発光強度を制御することで、前記３原色のうちの少なくとも１つの色純度を可変することを特徴とする表示装置。
【請求項６】
前記請求項５に記載の表示装置であって、
前記第１の光源部が、赤色の発光ダイオードを備えることを特徴とする表示装置。
【請求項７】
前記請求項５または６に記載の表示装置であって、
前記第２の光源部が、冷陰極管を備えることを特徴とする表示装置。
【請求項８】
前記請求項５または６に記載の表示装置であって、
前記第２の光源部が、発光ダイオードを備えることを特徴とする表示装置。
【請求項９】
前記請求項１乃至８のいずれかに記載の表示装置であって、
前記色純度調整手段は、少なくとも省エネモード、高色純度モードを含む複数の動作態様を有することを特徴とする表示装置。
【請求項１０】
前記請求項９に記載の表示装置であって、
前記省エネモードにおいては、主として前記第２の光源部を動作させることを特徴とする表示装置。
【請求項１１】
前記請求項９または１０に記載の表示装置であって、
前記高色純度モードにおいては、主として前記第１の光源部を動作させることを特徴とする表示装置。
【請求項１２】
前記請求項９乃至１１のいずれかに記載の表示装置であって、
前記複数の動作態様として、さらに高輝度モードを有することを特徴とする表示装置。
【請求項１３】
前記請求項１２に記載の表示装置であって、
前記高輝度モードにおいては、前記第１の光源部と前記第２の光源部とを同時に動作させることを特徴とする表示装置。
【発明の詳細な説明】
【０００１】
【発明の属する技術分野】
本発明は、表示装置に関する。
【０００２】
【従来の技術】
従来、透過型液晶表示装置や反射型液晶表示装置は、ディスプレイ表示のために、バックライト又はフロントライトとして、白色の冷陰極管や白色ＬＥＤ（発光ダイオード）を搭載している。図９は従来の液晶表示装置に用いられる発光装置の構成の一例を概略的に示している。図９において、白色ＬＥＤを配列した光源１１に対向して、光源１１からの光を導く導光板１２が配置され、導光板１２の他側に光センサ１３を設けて導光板１２を通過する光の強度を検出し、その検出結果を光源１１にフィードバックして光源１１の輝度を調整する。
【０００３】
これら白色の冷陰極管やＬＥＤは、どちらも発光効率が良く且つ消費電力が低く、特に冷陰極管は安価であるので汎用性がある。また、冷陰極管は大型のため小型化が困難であるのに対し、白色ＬＥＤは小型化が可能である。しかしながら、どちらも発光スペクトルがブロードなため、色純度が低いばかりでなく、ユーザーによる白色の色度の調節ができない。
【０００４】
一方、白色の冷陰極管や白色ＬＥＤではなく、発光色が異なる数種類の光源を用いて白色光を得るようにした光源が公知である。例えば、特許文献１には、発光色がそれぞれ青、緑及び赤の３種類のＬＥＤを平面状に配置して白色の面発光体を構成した光源が開示され、また、特許文献２には、発光色の異なる数種類の光源を時分割により切替えて白色の光源として用いるものが開示されている。これら青、緑及び赤のＬＥＤの発光スペクトルはスペキュラー（急峻）なため、色純度を高くすることができ、また、それぞれのＬＥＤの光量を増減することにより、白色の色度を調節することが可能になる。
【０００５】
さらに、上記の各種の光源を適宜組み合わせて用いたものが知られている。例えば、発光色が異なる数種類の光源、具体的には青、緑及び赤のＬＥＤと白色の冷陰極管の両方を用いて白色を調節することができるようにした光源がある。
【０００６】
しかしながら、発光色がそれぞれ青、緑及び赤である３種類のＬＥＤを組み合わせて白色の光源に用いた場合、色純度は高くなるが、発光効率が悪く消費電力が大きくなってしまう。逆に、前述のように、冷陰極管や白色ＬＥＤは発光効率は良いが色純度は低い。このように、色純度と発光効率はトレードオフの関係にある。
【０００７】
また、白色ＬＥＤを光源にした液晶表示装置は、前述のように色純度が良くなく、輝度も低いうえ、周囲からの入射光によって白色の色度が変化してしまうという問題がある。例えば、この液晶表示装置を屋内で使用した後に屋外に持ち出すと、輝度が低くなって表示画像が認識されにくくなるため、見やすくするよう輝度調整をしなければならない。これを回避するための一つの手段として、表示画面をモニタしておいて、その結果を用いて電流値を変えることにより光源の輝度を変える方法が取られているが、現状ではその調整の幅は小さく、見やすい液晶表示装置であるとは言い難い。
【０００８】
また、特許文献３には、前記の、発光色が青、緑及び赤のＬＥＤと白色の冷陰極管とを組み合わせた光源を用いた液晶表示装置が開示されている。この特許文献３の液晶表示装置は、青、緑及び赤のＬＥＤは冷陰極管の白色を調節するために設けられたものであるため、ＬＥＤを用いているからと言って表示の色純度が向上するものではない。
【０００９】
【特許文献１】
実開昭６３−４３１７７号公報
【特許文献２】
特開平１−１２６６２２号公報
【特許文献３】
特開２００１−１３５１１８号公報
【００１０】
【発明が解決しようとする課題】
本発明は上記問題点に鑑みて提案されたものであり、本発明の目的は、ユーザーが自由に好みの色純度に調整することができ且つ高輝度から低輝度まで輝度調整することが出来る表示装置を提供することにある。
【００１１】
【課題を解決するための手段】
上記の目的を達成するために、第１の技術手段は、白色光を用いて３原色を表示する表示パネルと、該表示パネルを照射する光を発光する発光装置と、前記表示パネルにより表示される３原色のうちの少なくとも１つの色純度を調整する色純度調整手段とを備えた表示装置であって、前記発光装置は、発光色が異なる複数種類の光源を有する第１の光源部と、白色光を発する第２の光源部とを備え、前記色純度調整手段は、ユーザーによる指示に応じて、前記第１の光源部と前記第２の光源部との少なくとも一方の発光強度を制御することにより、前記３原色のうちの少なくとも１つの色純度を可変することを特徴とする。
【００１２】
第２の技術手段は、第１の技術手段において、前記第１の光源部が、赤、緑及び青の３色の発光ダイオードを備えることを特徴とする。
【００１３】
第３の技術手段は、第１または第２の技術手段において、前記第２の光源部が、冷陰極管を備えることを特徴とする。
第４の技術手段は、第１または第２の技術手段において、前記第２の光源部が、発光ダイオードを備えることを特徴とする。
【００１４】
また、上記の目的を達成するため、第５の技術手段は、白色光を用いて３原色を表示する表示パネルと、該表示パネルを照射する光を発光する発光装置と、前記表示パネルにより表示される３原色のうちの少なくとも１つの色純度を調整する色純度調整手段とを備えた表示装置であって、前記発光装置は、少なくとも発光色が赤色である光源を有する第１の光源部と、白色光を発する第２の光源部とを備え、前記色純度調整手段は、ユーザーによる指示に応じて、前記第１の光源部と前記第２の光源部との少なくとも一方の発光強度を制御することで、前記３原色のうちの少なくとも１つの色純度を可変することを特徴とする。
【００１５】
第６の技術手段は、第５の技術手段において、前記第１の光源部が、赤色の発光ダイオードを備えることを特徴とする。
【００１６】
第７の技術手段は、第５または第６の技術手段において、前記第２の光源部が、冷陰極管を備えることを特徴とする。
第８の技術手段は、第５または第６の技術手段において、前記第２の光源部が、発光ダイオードを備えることを特徴とする。
【００１７】
第９の技術手段は、第１乃至第８のいずれか１の技術手段において、前記色純度調整手段は、少なくとも省エネモード、高色純度モードを含む複数の動作態様を有することを特徴とする。
【００１８】
第１０の技術手段は、第９の技術手段において、前記省エネモードにおいては、主として前記第２の光源部を動作させることを特徴とする。
【００１９】
第１１の技術手段は、第９または第１０の技術手段において、前記高色純度モードにおいては、主として前記第１の光源部を動作させることを特徴とする。
【００２０】
第１２の技術手段は、第９乃至第１１のいずれか１の技術手段において、前記複数の動作態様として、さらに高輝度モードを有することを特徴とする。
【００２１】
第１３の技術手段は、第１２の技術手段において、前記高輝度モードにおいては、前記第１の光源部と前記第２の光源部とを同時に動作させることを特徴とする。
【００２２】
【発明の実施の形態】
以下、本発明に係る表示装置の一つの実施の形態について図１〜図６及び表１〜表２を用いて説明する。図１は、本発明に係る表示装置が備える発光装置の一つの実施の形態の構成を概略的に示す図である。図１において、発光装置１は、発光色が異なる少なくとも３種類の発光ダイオード（以下ＬＥＤと記す）が適宜配置された第１の光源ユニット２を備えている。第１の光源ユニット２の前に色混合部材３が配置され、第１の光源ユニット２から発せられる少なくとも３種類の光は、色混合部材３によって、色むら無く白色として認識させるよう混合される。
【００２３】
第１の光源ユニット２と平行に、例えば冷陰極線管を備えた白色光光源である第２の光源ユニット４が設けられ、色混合部材３による混合の結果の白色光及び第２の光源ユニット４からの白色光は導光板５によって誘導され、液晶表示パネルのような被照射体全体を照射する。導光板５の適宜の個所には、導光板５を伝わってきた白色光の強度をモニタする光センサ６が設けられる。光センサ６は、モニタ結果を第１の光源ユニット２の各ＬＥＤにフィードバックし、色混合部材３から所定の白色光が発せられるよう第１の光源ユニット２内の各ＬＥＤの発光強度を調整する。
【００２４】
更に、発光装置１は、第１の光源ユニット２の点灯、消灯と第２の光源ユニット４の点灯、消灯を独立に制御するとともに、第１の光源ユニット２を点灯させるときには第１の光源ユニット２内の各ＬＥＤの発光強度を制御するための発光制御ユニット７を備えている。発光制御ユニット７によるこれらの光源ユニットの発光制御は、マニュアルによって又は自動的に行うことができる。
【００２５】
本実施の形態においては、光の３原色である赤、緑及び青を発光する３種類のＬＥＤを備えた第１の光源ユニット２からの光は、色混合部材３を通過することによってミキシングされて白色光になった後、導光板５を通り、光センサ６で受光される。
【００２６】
なお、図１においては、理解を容易にするために各構成要素を個々に分離して示しているが、実際には、これらの構成要素を密着させることが望ましい。また、各構成要素の大小関係も実際とは異なる。色混合部材３は必ずしも必要ではなく、第１の光源ユニット２と第２の光源ユニット４の配置を工夫することによって省略することができる。例えば、光源ユニット同士の間隔を狭めたり、光源ユニットと導光板５の発光面との距離を離したりすることにより、色混合部材３は省略可能である。
【００２７】
図２は、図１に示す発光装置１をバックライトとして用いた液晶表示装置８の概略構成を示す図で、導光板５の前面に液晶パネル９が配置される。液晶表示装置８は例えば１５Ｖ型（幅３０.５３：高さ２２.９０：対角３８.１６ｃｍ）の液晶テレビに用いることができ、液晶パネル９はそれに適する仕様になっている。
【００２８】
以下、図３〜図８、表１ないし表３を用いて、図２に示す液晶表示装置８の種々の動作態様を説明する。なお、以降において言及される輝度や色純度などは、発光装置１をバックライトとして用いたときの１５Ｖ型液晶テレビの表示部における測定値である。
【００２９】
動作態様１・・高色純度モード
図２の液晶表示装置８を高い色純度で動作させるには、発光制御ユニット７により、白色光光源である第２の光源ユニット４を消灯させ、発光色の異なる少なくとも３種類のＬＥＤが配置されている第１の光源ユニット２のみを点灯させる。このとき、第１の光源ユニット２内の各ＬＥＤからの光を適切な強度比に調整し、第１の光源ユニット２から発せられる赤、緑及び青の３種類の光が色混合部材３によって色むら無く白色として認識されるようにする。色混合部材３による混合により得られた白色光は、導光板５により液晶パネル９全体に誘導されるとともに、光センサ６で受光される。
【００３０】
いま、液晶パネル９の輝度が３００ｃｄ／ｍ2になるように第１の光源ユニット２の各ＬＥＤの発光輝度を調整したとき、液晶表示装置８の消費電力は３７Ｗであった。このときの色座標はそれぞれ図３に四角で示す位置にあり、これらを点線で結んでできる三角形は、実線で示された単波長の光の色度図の近くに位置する、一辺が長い大きな三角形である。色純度は、表１（後掲）の下段に示すように、赤ではｕ’＝０.５１７５、ｖ’＝０.５１３０、緑ではｕ’＝０.０９５８、ｖ’＝０.５７４２、青ではｕ’＝０.１６７２、ｖ’＝０.２０８８となり、高色純度であることが分かる。
【００３１】
動作態様２・・省エネモード
図２の液晶表示装置８を省エネモードで動作させるには、発光制御ユニット７により第２の光源ユニット４を点灯させ、第１の光源ユニット２を消灯させる。こうすると、第２の光源ユニット４から発光された白色光は導光板５を伝わって光センサ６で受光されるとともに液晶パネル９全体に誘導される。そこで、上で説明した動作態様１の場合と同じ輝度３００ｃｄ／ｍ2になるように第２の光源ユニット４の発光強度を調整したとき、液晶表示装置８の消費電力は１０Ｗであった。また、このときの色座標は図４に三角で示す位置にあり、これらを実線で結んだ三角形は、単波長の光の色度図から離れて位置する、一辺が短い小さな三角形である。このときの色純度は、表１の上段に示すように、赤ではｕ’＝０.４３２２、ｖ’＝０.５１５２、緑ではｕ’＝０.１１９３、ｖ’＝０.５５０６、青ではｕ’＝０.１７７０、ｖ’＝０.１６５９となり、色純度は低い。
【００３２】
動作態様３・・高輝度モード
図２に示す液晶表示装置８を高い輝度で動作させるには、発光制御ユニット７により第１の光源ユニット２と第２の光源ユニット４とを同時に点灯させる。このとき、第１の光源ユニット２から発せられる赤、緑及び青の３種類の光が色混合部材２によって色むら無く白色として認識されるよう、第１の光源ユニット２内の各ＬＥＤからの光は適切な強度比に調整される。色混合部材３で混合された白色光及び第２の光源ユニット４からの白色光は導光板５を伝って光センサ６で受光されるとともに液晶パネル９全体に誘導される。そこで、第１の光源ユニット２からの白色光と第２の光源ユニット４からの白色光との発光強度を、液晶パネル９での輝度が1対1の割合になるように、それぞれ３００ｃｄ／ｍ2に調整したところ、液晶パネル９の輝度は約６００ｃｄ／ｍ2になり、消費電力は４７Ｗになった。このときの色座標は図５に丸で示す位置にあり、これらを一点鎖線で結ぶと、単波長の光の色度図に近くに位置する、一辺が長い大きな三角形ができる。色純度は、表１の中段に示すように、赤ではｕ’＝０.４８０３、ｖ’＝０.５１６４、緑ではｕ’＝０.１０９３、ｖ’＝０.５６３２、青ではｕ’＝０.１７０１、ｖ’＝０.１８５５となり、第２の光源ユニット４のみを点灯させたときに比べて色純度は高い。
【００３３】
【表１】
0004212332.tif 000002
【００３４】
以上、３つの動作態様について説明したところをまとめると、色座標は図６に示すようになり、動作態様１〜３における動作モードでの輝度、色純度評価及び消費電力は表２のようになる。
【００３５】
【表２】
0004212332.tif 000003
【００３６】
表２から分かるように、３００ｃｄ／ｍ2の輝度を得るのに、第２の光源ユニット４のみを点灯させ、第１の光源ユニット２を消灯させた場合（動作態様２）の消費電力は１０Ｗであるのに対して、第１の光源ユニット２のみを動作させる場合（動作態様１）の消費電力は３７Ｗである。この意味で、動作態様２は「省エネモード」と呼ぶことができる。
【００３７】
また、同じ３００ｃｄ／ｍ2の輝度が得られる動作態様１と動作態様２の色座標を図６において比較すると、動作態様１の方が動作態様２よりも一辺の長い大きな三角形ができ、しかも単波長の色度図に一層近く位置するので、ｕ’及びｖ’の値からも色純度が良く、動作態様１は「高色純度モード」と呼ぶことができる。一方、動作態様３の場合は、色純度が動作態様１と動作態様２との間にあるが、輝度は動作態様１及び動作態様２の２倍の値であり、「高輝度モード」と呼ぶことができる。
【００３８】
したがって、ユーザーは、図２に示す液晶表示装置８の第１の光源ユニット２及び第２の光源ユニット４の点灯及び消灯を発光制御ユニット７によって制御して使用目的に応じた動作態様を選択し、その選択に応じて光源の発光強度の制御を行って好みの色や輝度を調整することができる。
【００３９】
例えば、ワープロのように白黒表示でも構わない場合や、移動中のように電源が使用できない場合などは、色純度は低くてもよいので、液晶表示装置８は「省エネモード」で動作させればよい。周囲が暗い場合などにも、表示画面の輝度が高いことによる目の疲労を軽減するため、輝度が低めの「省エネモード」にした方が目に優しいといえる。また、液晶表示装置８を屋内から屋外へ持ち出して使用する場合、周囲が明るくなって表示が認識しにくくなるため、「高輝度モード」に切り替える方がよい。さらに、周囲光の色に合わせて、第１の光源ユニット２の複数種類のＬＥＤの発光強度比を任意に変化させることにより、より見易くすることができる。さらに、高画質なカラー画面を見たい場合には、輝度を変えることなく色純度を上げる「高色純度モード」に切り替えればよい。
【００４０】
以上、本発明に係る表示装置の一つの実施の形態を詳述したが、本発明はこうした実施の形態に限定されるものではない。以下、本実施の形態に対する変形例を説明する。
【００４１】
（１）第２の光源ユニット４の白色光源として冷陰極管を用いたが、これに代えて、最近開発が目覚しい白色ＬＥＤを用いても、同様の効果を得ることができる。白色ＬＥＤを用いる場合、第１の光源ユニット２における３種類のＬＥＤの中に白色ＬＥＤを適宜配置することにより、２つの光源ユニットを一体化することができ、色混合部材３を省略することができる。
【００４２】
（２）第２の光源ユニット４の白色光源として冷陰極管を用いたが、これに代えて、最近開発されている紫外線ＬＥＤを用いても、同様の効果を得ることができる。白色ＬＥＤを用いる場合と同様に、第１の光源ユニット２における３種類のＬＥＤの中に白色を発光するための紫外線ＬＥＤを適宜配置することにより、２つの光源ユニットを一体化することができ、色混合部材３を省略することができる。
【００４３】
（３）発光制御ユニット７によって第１の光源ユニット２及び第２の光源ユニット４を点灯又は消灯させる代わりに、これらの光源ユニットから発される光の量を増減するのでもよい。つまり、点灯する代わりに発光量を増し、消灯する代わりに発光量を減らすのでもよい。
【００４４】
（４）「動作態様３」の「高輝度モード」においては、第２の光源ユニット４からの白色光と、第１の光源ユニット２の赤、緑及び青のＬＥＤからの光を混合した白色光との発光強度を、輝度が１対１の割合になるように調整したが、これに限られるわけではなく、他の割合であってもよい。例えば、１対９のように、第１の光源ユニット２の赤、緑及び青のＬＥＤからの発光強度を多めにすると、１対１の割合である場合に比べて消費電力は多くなるが、色純度は良くなる。逆に、９対１のように、第２の光源ユニット４からの白色光の発光強度を大きくすると、少ない消費電力でほどほどの色純度を得ることができる。
【００４５】
（５）これまで説明した実施の形態においては、光源として、赤、緑及び青のＬＥＤを備えた第１の光源ユニット２と白色光の光源である第２の光源ユニット４とを組み合わせて用いたが、第２の光源ユニット４と赤色の単色光の光源ユニットとを組み合わせることによっても、「高輝度モード」を達成することが可能である。ここではＬＥＤを使用した。
【００４６】
図２に示す液晶表示装置８を高い輝度で動作させるには、発光制御ユニット７により第１の光源ユニット２と第２の光源ユニット４とを同時に点灯させる。このとき、第１の光源ユニット２には赤色のＬＥＤのみを設置するため、色混合部材３は省略される。第１の光源ユニット２から発生された赤色光及び第２の光源ユニット４からの白色光は導光板５を伝って光センサ６で受光されるとともに液晶パネル９全体に誘導される。そこで、第１の光源ユニット２からの赤色光と第２の光源ユニット４からの白色光との発光強度を、液晶パネル９での輝度が０.５対１の割合になるように、それぞれ１５０ｃｄ／ｍ2、３００ｃｄ／ｍ2に調整したところ、液晶パネル９の輝度は約４５０ｃｄ／ｍ2になり、消費電力は２２Ｗになった。動作態様１の、白色光光源である第２の光源ユニット４を消灯させ、発光色の異なる少なくとも３種類のＬＥＤが配置されている第１の光源ユニット２のみを点灯させるときに比べ、消費電力は低い。また、動作態様２の、第１の光源ユニット２を消灯させ、第２の光源ユニット４のみを点灯させるときに比べ、高輝度である。このときの色座標は図７に丸で示す位置にあり、これらを破線で結ぶと、単波長の光の色度図に近くに位置する、一辺が長い大きな三角形ができる。色純度は、表３の下段に示すように、赤ではｕ’＝０.４８００、ｖ’＝０.５１６１、緑ではｕ’＝０.１１９７、ｖ’＝０.５６４１、青ではｕ’＝０.１８５１、ｖ’＝０.１７０９となり、第２の光源ユニット４のみを点灯させたときに比べて色純度は高い。これをまとめると、色座標は図８に示すようになる。
【００４７】
【表３】
0004212332.tif 000004
【００４８】
このとき、白色光の光源である第２の光源ユニット４は（１）及び（２）で記載するように冷陰極管以外に、ＬＥＤ及び紫外線ＬＥＤでも良い。冷陰極管の場合、冷陰極管は光の利用効率を上げるために幾つかの輝線を持つが、色の再現性はあまり良くなく、特に赤色の色再現が悪くなる。そのため、赤色の単色光として赤色発光ダイオードを組み合わせることによって、色純度が向上し、「高輝度モード」と同時に「高色純度モード」をも達成することが可能になる。
【００４９】
またＬＥＤの場合、ＬＥＤは青色の励起光とそれによって励起された黄色の光の混色による白色光であり、この黄色はブロードなスペクトルであるため、赤の色再現範囲が狭い。そのため、同様に赤色の単色光として赤色の単色ＬＥＤを組み合わせることによって、色純度が向上し、「高輝度モード」と同時に「高色純度モード」をも達成することが可能になる。
【００５０】
また最近開発されている紫外線ＬＥＤの場合、紫外線ＬＥＤは蛍光体または高分子材料により白色光に変換するが、その効率はまだ良くない。そのため、長波長である赤色に関して、単色光のＬＥＤを使用することにより、輝度・色純度共に向上し、「高輝度モード」と同時に「高色純度モード」をも達成することが可能になる。
【００５１】
（６）また前述のように、冷陰極管もＬＥＤも赤色の色再現が悪い為、赤色を含まないように青寄りの白色、すなわち青緑色がかった白色を出すようにし、赤色を補う為に単色光として赤色の単色ＬＥＤを組み合わせることによって、色純度が向上し、「高輝度モード」と同時に「高色純度モード」を達成することが可能になる。
【００５２】
（７）これまで説明した実施の形態においては、光源として、赤、緑及び青のＬＥＤを備えた第１の光源ユニット２と白色光の光源である第２の光源ユニット４とを組み合わせて用いたが、第２の光源ユニット４と青色の単色光または緑色の単色光の光源ユニットとを組み合わせることによっても、赤色の単色光と同様に「高輝度モード」「高色純度モード」を達成することが可能である。
【００５３】
（８）第１の光源ユニット２に用いられる複数種類の光源として、赤、緑及び青の代わりに、他の発光色を持つ光源を使用することができる。さらに、第１の光源ユニット２における緑のＬＥＤの代わりに、２種類の光のＬＥＤからの光を混合して緑色光を得、こうして４種類のＬＥＤを用いると、さらに色純度の高い発光装置１を得ることができる。
【００５４】
（９）図１及び図２の実施の形態においては、光をパネル全体に誘導するため、第１の光源ユニット２と第２の光源ユニット４とに共通の導光板５を設けたが、各光源ユニット毎に導光板を設けるようにしてもよい。
【００５５】
（１０）図２の実施の形態においては、発光装置１を液晶パネル９の後方に配置してバックライトとして使用したが、液晶パネル９が反射型の場合には、発光装置１を液晶パネル９の前方に配置してフロントライトとして使用しても、同様の効果が得られる。
【００５６】
（１１）第１の光源ユニット２の各ＬＥＤの発光強度の制御は、導光板５を伝わってきた光の強度を光センサ６にてモニタし、そのモニタ結果に基づいて自動的に行うことができるが、ユーザーがマニュアルで好みに応じて発光強度の制御を行うようにしてもよい。
【００５７】
【発明の効果】
以上のように、本発明は、少なくとも２つの異なる動作モードを持ち、該動作モードの切り替えに応じて、発光色が異なる複数種類の光源を有する第１の光源部と、白色光源を有する前記第２の光源部との少なくとも一方の発光強度を制御することにより、３原色のうちの少なくとも１つの色純度を可変することが可能であるため、好みの色や輝度を調整することができる。
【図面の簡単な説明】
【図１】    本発明に係る表示装置が備える発光装置の一つの実施の形態の概略構成を示す図である。
【図２】    図１の発光装置をバックライトとして用いた液晶表示装置の概略構成を示す図である。
【図３】    図２に示す液晶表示装置の一つの動作態様の色座標を示す図である。
【図４】    図２に示す液晶表示装置の他の動作態様の色座標を示す図である。
【図５】    図２に示す液晶表示装置の更に別の動作態様の色座標を示す図である。
【図６】    図３〜図５に示す色座標をまとめて示す図である。
【図７】    図２に示す液晶表示装置の更に別の動作態様の色座標を示す図である。
【図８】    図４と図７に示す色座標をまとめて示す図である。
【図９】    従来の発光装置の概略構成を示す図である。
【符号の説明】
１…発光装置、２…第１の光源ユニット、３…色混合部材、４…第２の光源ニット、５…導光版、６…光センサ、７…発光制御ユニット、８…液晶表示装置、９…液晶パネル。
【図１】
0004212332.tif 000005
【図２】
0004212332.tif 000006
【図３】
0004212332.tif 000007
【図４】
0004212332.tif 000008
【図５】
0004212332.tif 000009
【図６】
0004212332.tif 000010
【図７】
0004212332.tif 000011
【図８】
0004212332.tif 000012
【図９】
0004212332.tif 000013